(57)【特許請求の範囲】
【請求項１】
吸収剤材料およびこの材料が上部に設置されている不浸透性の裏ばりシートを含んでなる主要本体部分であって、周辺の端部により境界が作成されている本体部分、
並びに、この周辺の端部の内部の折り畳み線に沿ってこの裏ばりシートから伸びており且つその裏ばりシートと蝶番方式に取り付けられている取り付け翼部であって、この裏ばりシートおよびこの翼部の一部にこの製品を下着に巻き付けてこの製品を定位置に保つのに十分な接着剤領域が付与されている取り付け翼部
を含んでなる使い捨て女性衛生製品であって、
この翼部の上にあるこの接着剤領域の実質的に全てがこの裏ばりシートの上にあるこの接着剤領域からずれているため、この翼部がこの折り畳み線の周りで下着がない状態でこの裏ばりシート上にあるこの接着剤領域に向かって適切に折り畳まれそしてリリース紙が除去される場合にはこの翼部の上にあるこの接着剤領域がこの裏ばりシートの上にあるこの接着剤領域と接触することができないようにし、
この翼部が各々さらに各々の翼部を固めそして一般的に平らに保つために置かれている補剛材も含んでいるため、翼部の上にある接着剤領域が翼部が接着剤領域を有していない裏ばりシートの部分との非整列を引き起こしうるような反りおよび折り畳みに対してそれ自身で抵抗する、
女性衛生製品。
【請求項２】
ａ）使い捨て女性衛生製品に不浸透性の裏ばりシート上に設置された吸収剤材料の主要本体を付与し、そしてこの裏ばりシートから折り畳み式に突出する翼部を対向させて下着への付着を助け、この裏ばりシートおよびこの翼部は各々場合により除去可能なリリース紙で被覆されていてもよい感圧接着剤領域を有しており、この裏ばりシートのこの接着剤領域がこの裏ばりシートの全表面積の少なくとも５０％を占めており、この翼部が各々この裏ばりシートに向かって折り畳み線に沿って折り畳み可能であるようにし、
ｂ）この接着剤領域の全てからリリース紙を除去し、
ｃ）この裏ばりシートのこの接着剤領域を適当な下着の一つの側面に付着させ、そして
ｄ）この翼部をこの折り畳み線の周りに折り畳むことによりこの翼部のこの接着剤領域をこの下着の一つの側面と反対の側面に付着させて、間にあるこの下着を挟んで翼部の実質的に全ての接着剤領域がこの裏ばりシートの接着剤領域からずらされ、
それにより、翼部の接着剤領域および裏ばりシートが重なっていないため、下着の不存在下におけるこの翼部の偶然の折り畳みにより翼部がこの裏ばりシートの接着剤領域に付着しないようにし、
ｅ）この翼部に各々さらに各々の翼部を固めそして一般的に平らに保つために置かれている補剛材を含ませ、翼部の上にある接着剤領域が翼部が接着剤領域を有していない裏ばりシートの部分との非整列を引き起こしうるような反りおよび折り畳みに対してそれ自身で抵抗するようにする、
段階を含んでなる、使い捨て女性衛生製品を下着に付着させる方法。
【請求項３】
使い捨て女性衛生製品の翼部の上にある接着剤領域とこの製品の裏ばりシートの上にある接着剤領域との早すぎる接触を防止する方法であって、この製品がさらに周辺の端部により境界が作成されている主要本体部分を含んでおり、この翼部はこの周辺の端部の内部の折り畳み線に沿ってこの裏ばりシートに蝶番方式で取り付けられておりそして片寄らされていてこの折り畳み線に沿ってこの裏ばりシートに向かい且つそれと接触して折り畳まれており、この方法が
ａ）この裏ばりシートの上にあるこの接着剤をこのシートの上にある予め決められた領域に置き、そして
ｂ）この翼部の上にあるこの接着剤領域の実質的に全てをこの裏ばりシートの上にあるこの予め決められた接着剤領域からずれている位置に置いて、下着の不存在下におけるこの片寄りによる翼部とこの裏ばりシートとの間の接触が接着剤を接着剤と接触させないようにし、
ｃ）この翼部に各々さらに各々の翼部を固めそして一般的に平らに保つために置かれている補剛材を含ませ、翼部の上にある接着剤領域が翼部が接着剤領域を有していない裏ばりシートの部分との非整列を引き起こしうるような反りおよび折り畳みに対してそれ自身で抵抗するようにする、
段階を含んでなる方法。
【発明の詳細な説明】
【０００１】
【発明の分野】
本発明は、使い捨て女性衛生製品をこの製品の主要本体部分の上にある接着剤に沿って下着に固定するのを助けるための接着剤付きの裏に取り付けられた翼部を有する使い捨て女性衛生製品に関する。
【０００２】
【発明の背景】
ここでは生理用ナプキン、パンティライナー、および失禁パッドを含むものと理解される使い捨て女性衛生製品は、不浸透性の裏ばりシートの上に設置されている吸収剤材料を含んでなる主要本体部分を特徴としており、この主要本体部分は周辺の端部により境界が作成されている。（ここで使用される「周辺の端部」は主要本体の最も外側の端部をさすが、その端部はたまたま製造されていることがある。）しばしば、そのような製品はさらにこの裏ばりシートからその反対側から隣接して伸びている取り付け翼部またはフラップを含む。裏ばりシートおよび翼部の両者の一部が接着剤領域を担持しているため、製品には下着の股部分の一つの側面と接触する裏ばりシートが設置されており、そして翼部は股部分の他の側面の周りを覆うこととなり、２つの対向する接着剤領域が下着の両方の側面上の適切な位置に製品を保持する。
【０００３】
そのような翼部は裏ばりシートの隣接延長部であり、その場合にはそれらは主として主要本体部分のその周辺の端部の周りを蝶番式に作動しそして折り畳まれ、或いはそのような翼部は以下では「裏に取り付けられた」と称する主要本体部分の周辺の端部の内側に位置する折り畳み線に沿って裏ばりシートと蝶番作動式に取り付けられる。後者を構成するための好適な方法は、翼部を裏ばりシートの隣接延長部として製造しそして次にそれらを周辺の端部の周りに折り畳みそして翼部の一部を周辺の端部内部の裏ばりシートの一部と接着剤で固定する方法である。これは、使用者が間に挿入された下着の周りを翼部で覆う時にちょうどするようにそれが翼部を片寄らせて裏を主要本体部分に対して折り畳むため、好ましい。そのような片寄りが下着の周りの翼部による被覆をさらに容易にすることが見いだされている。実際に、このようにして与えられる片寄りがない場合には、翼部は折り畳まれずそしてそれらの接着剤領域を下着から引っ張る傾向を有する。
【０００４】
それにもかかわらず、上記の役に立つ片寄りはそれに特有の欠点を有する。裏ばりシートおよび翼部の両方の上にある接着剤領域は、使用者が製品を取り付ける準備ができるまでリリース紙により一時的に覆われている。しかしながら、リリース紙が除去される時には、翼部の接着剤領域が偶然に裏ばりシートの接着剤領域と直接接触すると、（予定される下着の不存在下で）２つの粘着物が非常に強く一緒になってしまい製品を損傷せずにそれらを引き離すことができなくなる。裏ばりシートに対する翼部の上記の片寄りは、そのような偶然による接触を少なくするというよりむしろ多くするという欠点を有する。
【０００５】
それ故、本発明以前には、特に翼部がそれらを周辺の端部の周りに折り畳むことにより製造されそして裏ばりシートに接着剤で固定されて片寄りが作成される時には、翼部の接着剤領域が裏ばりシートの接着剤領域に粘着するのを防止する必要があった。
【０００６】
【発明の要旨】
我々は上記の問題を解決する使い捨て女性衛生製品を設計した。
【０００７】
より特に、本発明の一面によると、
吸収剤材料およびこの材料が上部に設置されている不浸透性の裏ばりシートを含んでなる主要本体部分であって、周辺の端部により境界が作成されている本体部分、
並びに、この周辺の端部の内部の折り畳み線に沿ってこの裏ばりシートから伸びており且つその裏ばりシートと蝶番方式に取り付けられている取り付け翼部であって、この裏ばりシートおよびこの翼部の一部にこの製品を下着に巻き付けてこの製品を定位置に保つのに十分な接着剤領域が付与されている取り付け翼部
を含んでなる使い捨て女性衛生製品であって、
この翼部の上にあるこの接着剤領域の実質的に全てがこの裏ばりシートの上にあるこの接着剤領域からずれているため、この翼部がこの折り畳み線の周りで下着がない状態でこの裏ばりシート上にあるこの接着剤領域に向かって適切に折り畳まれそしてリリース紙が除去される場合にはこの翼部の上にあるこの接着剤領域がこの裏ばりシートの上にあるこの接着剤領域と接触することができないようにする、女性衛生製品が提供される。
【０００８】
本発明の別の面によると、
使い捨て女性衛生製品の翼部の上にある接着剤領域とこの製品の裏ばりシートの上にある接着剤領域との早すぎる接触を防止する方法であって、この製品がさらに周辺の端部により境界が作成されている主要本体部分を含んでおり、この翼部はこの周辺の端部の内部の折り畳み線に沿ってこの裏ばりシートに蝶番方式で取り付けられておりそして片寄らされていてこの折り畳み線に沿ってこの裏ばりシートに向かい且つそれと接触して折り畳まれており、この方法が
ａ）この裏ばりシートの上にあるこの接着剤をこのシートの上にある予め決められた領域に置き、そして
ｂ）この翼部の上にあるこの接着剤領域の実質的に全てをこの裏ばりシートの上にあるこの予め決められた接着剤領域からずれている位置に置いて、下着の不存在下におけるこの片寄りによる翼部とこの裏ばりシートとの間の接触が接着剤を接着剤と接触させないようにする
段階を含んでなる方法が提供される。
【０００９】
本発明のさらに別の面によると、
ａ）使い捨て女性衛生製品に不浸透性の裏ばりシート上に設置された吸収剤材料の主要本体を付与し、そしてこの裏ばりシートから折り畳み式に突出する翼部を対向させて下着への付着を助け、この裏ばりシートおよびこの翼部は各々場合により除去可能なリリース紙で被覆されていてもよい感圧接着剤領域を有しており、この裏ばりシートのこの接着剤領域がこの裏ばりシートの全表面積の少なくとも５０％を占めており、この翼部が各々この裏ばりシートに向かって折り畳み線に沿って折り畳み可能であるようにし、
ｂ）この接着剤領域の全てからリリース紙を除去し、
ｃ）この裏ばりシートのこの接着剤領域を適当な下着の一つの側面に付着させ、そして
ｄ）この翼部をこの折り畳み線の周りに折り畳むことによりこの翼部のこの接着剤領域をこの下着の一つの側面と反対の側面に付着させて、間にあるこの下着を挟んで翼部の実質的に全ての接着剤領域がこの裏ばりシートの接着剤領域からずらされ、
それにより、翼部の接着剤領域および裏ばりシートが重なっていないため、下着の不存在下におけるこの翼部の偶然の折り畳みにより翼部がこの裏ばりシートの接着剤領域に付着しないようにする
段階を含んでなる、使い捨て女性衛生製品を下着に付着させる方法が提供される。
【００１０】
ここで使用されている「実質的に全ての接着剤領域が...ずれている」とは、製品の通常の製造および適用中に全ての接着剤領域に関してずれ状態が起きるような慎重な配置を意味する。それは、無視できる量の接着剤領域がたまたま製造中の偶然の変動によりまたは製品使用中の誤操作により重なってしまう場合を除外することは意味しない。ここで使用される「無視できる」とは、約５ｍｍの線状距離を越えないような接着剤の誤配置およびその結果としての重複を意味する。
【００１１】
これもここで使用されている「折り畳み線」は曲線であっても直線であってもよく、そして翼部の折り畳み線に関する時には、それに沿って翼部が最初に主要本体に関して折り畳まれていない線を意味する。さらに、折り畳み線や主要本体からさらに遠くにあるこれも折り畳むことができる翼部の他の部分があってもよい。
【００１２】
従って、本発明の有利な特徴は使用時にそれらの間に下着がない場合に翼部の接着剤領域が他の接着剤領域に偶然に且つ損傷をもたらすように粘着できないように構成された接着剤領域の使用により下着に付着する裏に取り付けられた翼部の付いた使い捨て女性衛生製品が提供されることである。
【００１３】
他の有利な特徴は以下の詳細な記述を添付図面に照らして読む時に明らかになるであろう。
【００１４】
【好適態様の記述】
本発明をある種の好適態様に関連して以下で記載するが、そこでは翼部を最初に裏ばりシートの隣接延長部である翼部の特定な折り畳み方法により裏に取り付け、主要本体部分の周辺の端部の周りで翼部を裏ばりシートの一部に接着剤で固定し、周辺の端部の内部に折り畳み線を作成しそして翼部を裏ばりシートに向かわせる片寄りを作成する。また、接着剤のずれを得るために好ましいある種の接着剤様式も記載されている。さらに、本発明は翼部が裏ばりシートに向かって折り畳まれる時に翼部のものが裏ばりシートのものとずれている限り、翼部がそれらの裏に取り付けられた構造をどのようにして得るかに拘らず且つ接着剤領域の実際の様式にも拘らず適用できる。
【００１５】
図１は先行技術の構造の問題点を示す。女性衛生製品１０は、吸収剤材料のパッド１４およびパッド１４が上部に設置されている不浸透性の裏ばりシート１６を含んでなる主要本体部分１２を含んでなる。本体部分１２は部分１２の境界を規定する周辺の端部１８を有する。さらに、取り付け翼部２０、２２はシート１６の隣接延長部として形成されており、そして裏ばりシート１６に向かって折り畳み線２４の周りで折り畳まれている。接着剤領域２８は各翼部の上にシート１６に面して付与されており、そしてはるかに大きい接着剤の領域３０が裏ばりシート１６の上に翼部に向かって形成されている。
【００１６】
使用時に、翼部２０、２２は示されているように本体部分１２と翼部との間に挿入された下着を挟んで折り畳まれて製品１０を下着に付着させる。しかしながら、これが早すぎると、すなわち下着が定位置にない時に起きてしまったら、接着剤領域２０もしくは２２または両方が接着剤領域３０と接触することができ、そしてそれらの室温における粘着性のために、互いに元どおりにならないようなほどに付着してしまう。（ここで使用される「室温」とは使用者が製品を下着に適用することが予測できる温度を意味し、０℃〜約３０℃までを含む。）この問題は翼部が裏に取り付けられているのではなくむしろ隣接する翼部であるような製品の概念で示されているが、先行技術におけるある種の裏に取り付けられた翼部でも同様な問題が起きる。
【００１７】
対照的に、本発明に従い製造される製品１０、図２−３、は好ましくは裏ばりシート１６と一般的な多孔性カバーシート１７との間に挟むことにより一般的な方法で裏ばりシート１６に取り付けられている吸収剤材料パッド１４（幽霊画法で示されている、図３）を有する主要本体部分１２を含んでなる。カバーシートおよび裏ばりシートは一般的な方法で一緒に積層され、そして翼部１２０、１２２を形成するために使用されるものはこの積層である。部分１２の境界は周辺の端部１８により規定される。翼部１２０および１２２はシート１６の隣接部分を端部１８の周りに端部１８と内部区分線１２４との間に置かれている接着剤と共に折り畳むことにより製造された裏に取り付けられた翼部であり、そしてシート１６の二つの部分を固定して線１２４と端部１８との間で一緒に折り畳まれている。すると、全て一般的なように、これが幅「ｔ」を有する付着区域を規定しそして翼部が裏に取り付けられる。図３に示されているように、線１２４は主要本体部分１２に関して翼部の非折り畳みおよび折り畳み用の折り畳み線となり、その片寄りが図２に示されているように裏ばりシート１６に対して翼部を上にして折り畳まれる。
【００１８】
接着剤領域１２８が各翼部の上に付与され、同様に領域１３０が裏ばりシート１６の上に付与される。より良好な付着のためには、領域１３０は下着に呈する部分１２の裏ばりシートの少なくとも５０％を被覆する。
【００１９】
吸収剤材料１４、裏ばりシート１６、接着剤領域、および存在するならリリースシート用に使用される材料は一般的なものであり、それ故これ以上記載する必要はない。
【００２０】
本発明にとって重要なことは、翼部を図２に示されているようにそして片寄るように折り畳まれる時に接着剤領域１２８、１３０が互いにずれるように配置されることである。図３に示されているこの特別な態様では、ずれ特性は領域１２８、１３０をそれらが一般的には本体部分１２の延長部の方向に整列されている縦軸１４０に沿って測定した時に互いに転置されているように配置することにより達成される。より特に、一般的には軸１４０に沿って中央に置かれている領域１２８は裏ばりシート１６の上にある領域１３０の位置から距離Ｄ1だけ離されており、それらは中心から遠くに置かれている。換言すると、非接着剤領域１４２、１４４は裏ばりシート１６およびそれぞれ翼部１２０、１２２の上に置かれているため、接着剤領域がずらされる。
【００２１】
そのような非接着剤領域は、示されているように、これらの領域を未コーテイング状態のままにすることによりまたは全ての領域を最初に室温において粘着性の感圧接着剤でコーテイングしそしてその接着剤を領域１４２および１４４で室温において非粘着性の一般的な非感圧接着剤ホット−メルト接着剤でオーバーコーテイングすることにより、作成することができる。これが領域１２８、１３０を室温において粘着性である感圧接着剤だけでコーテイングされているようにする。
【００２２】
他の変法は例えばシリコーンリリース剤のコーテイングの如きリリースコーテイング表面を有する非接着剤領域を作成する方法である。例えば、表面をその場で紫外線により硬化する硬化性シリコーンエマルションでコーテイングすることによりまたはその露呈表面上にシリコーンリリース剤を有するテープを表面に付着することにより、リリース剤を適用することができる。
【００２３】
接着剤領域１２８、１３０がずれているため、製品１０が接着剤領域が一般的なリリース紙で被覆されているように包装されているかまたはされていないかは随意である。
【００２４】
裏ばりシートの上にあるおよび翼部の上にある接着剤領域がそれぞれ２つだけの領域であるかまたは１つの隣接する領域であるかは重要ではない。図４の例に関して示されているように、各領域は複数の領域に分割することができる。前に記述したものと同様な部品には同じ参照番号がつけられており、それに対して区別するための接尾語「Ａ」が適用されている。
【００２５】
それ故、図４の製品１０Ａは、前の態様と同様に、周辺の端部１８Ａにより囲まれている主要本体部分１２Ａ、折り畳み線１２４Ａを作成するための裏ばりシート１６Ａを端部１８Ａのそれ自身の内側に付着させることにより裏に取り付けられている翼部１２０Ａを含んでなる。しかしながら、前の態様とは異なり、各翼部の上にある接着剤領域は２つの間隔が離れている領域２２８、２２８′を含んでなり、そして周辺の端部１８Ａの内側の裏ばりシート１６Ａの上にある接着剤領域は３つの間隔が離れている領域１３０Ａ、１３０Ａ、および２３０に分割される。主要本体部分１２Ａの上にあるシート１６Ａの領域の少なくとも５０％は接着剤領域１３０Ａ、１３０Ａおよび２３０により被覆されている。前と同様に、翼部分２２８、２２８′を本体部分領域１３０Ａ、１３０Ａ、および２３０が置かれている軸に沿ってある位置から転置することにより、翼部の上にある接着剤領域は主要本体部分の裏ばりシートの上にある接着剤領域からずらされる。より特に、翼部領域２２８、２２８′は軸１４０Ａに沿って主要本体部分領域２３０から距離Ｄ1だけそして他の２つの主要本体部分領域１３０Ａ、１３０Ａから距離Ｄ4だけ転置される。
【００２６】
距離Ｄ4は距離Ｄ1より大きいように示されているが、これは必須ではなくそして逆転することもできる。実際には、翼部１２０Ａの上にある２つの距離Ｄ1、Ｄ1または翼部１２２Ａの上の対応する距離Ｄ1、Ｄ1が何故互いに等しい必要があるかの理由は単に製造の容易さだけである。同様に、各翼部１２０、１２２Ａに関する距離Ｄ4、Ｄ4は互いにまたは他の翼部の上にある距離Ｄ4、Ｄ4と等しい必要はない。
【００２７】
図４の態様を非常に好ましい態様にしているこの態様の１つの利点は、主要本体部分の上にある追加の接着剤領域２３０が、領域２３０が省略される場合より、製品を良好に下着に付着させるのを助けることである。
【００２８】
主要本体部分の上にあるものからの翼部接着剤領域のずれが縦軸に沿った縦方向の転置により得られるということは必須ではない。実際に、図５では、この転置は軸から横方向に測定することができる。前記のものと同様な部品には同じ参照番号がつけられており、これに対して区別する接尾語「Ｂ」が適用されている。それ故、製品１０Ｂは、全てがこれらの２つの前の態様に関して記載された方法で、周辺の端部１８Ｂにより取り囲まれている主要本体部分１２Ｂ並びに本体部分１２Ｂおよび縦軸１４０Ｂから離れて折り畳まれる２つの裏に取り付けられた翼部１２０Ｂおよび１２２Ｂを折り畳み線１２４Ｂに沿って含んでなる。各翼部は１つの接着剤領域１２８Ｂを有する。主要本体部分１２Ｂはその裏ばりシート１６Ｂの上に複数の図３のものと同様な接着剤領域１３０Ｂ、１３０Ｂを有しており、そしてさらに領域１３０Ｂ、１３０Ｂの間に置かれた２つの追加領域３３０、３３０′も有する。１３０Ｂ、１３０Ｂ、および３３０、３３０′の合計接着剤領域は本体部分１２Ｂのシート１６Ｂの領域の５０％より多い。
【００２９】
前の態様とは異なり、翼部接着剤領域を同じ折り畳み線からの接着剤領域３３０、３３０′が置かれている最大距離Ｄ3とは異なる、例えばそれより大きい、折り畳み線１２４Ｂからの予め決められた最小距離Ｄ2に置くことにより翼部接着剤領域のずれが得られる。この方法においては、翼部が適切に内部に折り畳まれる時には、領域１２８Ｂは幽霊画法で示されている領域内で接着剤領域３３０、３３０′の間になるであろう。（領域１２８Ｂは、裏に折り畳まれる時に接着剤領域３３０′を重複させるためには翼部１２０Ｂの上ではるかに遠くまで延長しなければならずそして同様に接着剤領域３３０と関連する翼部１２２Ｂの上にある接着剤領域１２８Ｂに関してもそうであることを認識するであろう。すなわち、最大距離Ｄ5＜最小距離Ｄ6である。）
使用者が翼部を折り畳み線１２４Ｂ以外の折り畳み線に沿って本体部分１２Ｂに対して裏に折り畳みそしてその結果として接着剤領域１２８Ｂが領域３３０または３３０′の一方と重複するのを防止するために、一般的な補剛材３４０を随意に翼部１２２Ｂ（示されている）および翼部１２２Ｂ（示されていない）の中で折り畳み線１２４Ｂと接着剤１２８Ｂとの間に形成してもよい。例えば、補剛材３４０を翼部の布の中に埋め込むことができる。
【００３０】
本発明の別の態様として、図４および５の両方の特徴を組み合わせて翼部の接着剤領域を縦軸に沿って測定してそして翼部の折り畳み線から横方向で測定して主要本体部分の上にある接着剤領域からずらすことももちろん実行できる、図６。前記のものと同様な部品には同じ参照番号がつけられており、これに対して区別する接尾語「Ｃ」が適用されている。
【００３１】
それ故、製品１０Ｃは主要本体部分１２Ｃおよび折り畳み線１２４Ｃに沿って折り畳まれる裏に取り付けられている翼部１２０Ｃおよび１２２Ｃを含んでなる。接着剤領域１２８Ｃは翼部の上に置かれており、そして接着剤領域も主要本体部分の上に置かれている。しかしながら、後者は４つの間隔が離された領域４３０、４３０′、４３０′′、および４３０′′′を含んでなる。これらの４つは翼部領域１２８Ｃの軸に沿って位置から距離Ｄ1だけ縦軸１４０Ｃに沿って縦方向に転置されている。さらに、それらは翼部領域１２８Ｃの位置に関する最小距離Ｄ2より少ない折り畳み線１２４Ｃからの最大距離に置かれる。従って、翼部領域１２８Ｃが本体部分１２Ｃに向かって折り畳まれる時には、それらは縦軸に沿ってそして折り畳み線から横方向に測定して両者とも領域４３０、４３０′、４３０′′、および４３０′′′と比べてずれている幽霊画法で示される領域の中に位置する。
【００３２】
図７は、主要本体から離れている布片であるが米国特許第４,９００,３２０号と同様な方法で接着剤によりまたは熱封印により取り付けられている裏に取り付けられた翼部に適用される時の本発明を示す。同様な部品は同じ参照番号を有するが接尾語Ｄがついている。
【００３３】
それ故、製品１０Ｄは別個に製造されそして厚さ「ｔ」に沿って本体部分１２Ｄの裏ばりシート１６Ｄに付着して周辺の端部１８Ｄの内部に折り畳み線１２４Ｄを生ずるように裏に取り付けられている翼部１２０Ｄ、１２２Ｄの付いた主要本体部分１２Ｄを有する。各翼部の上にある翼部接着剤領域２２８Ｄおよび２２８′Ｄは、図４の態様と同様に、軸１４０Ｄに沿って縦方向に距離Ｄ1およびＤ4だけ転置することにより、領域１３０Ｄおよび２３０Ｄからずれている。それ故、米国特許第４,９００,３２０号の場合とは異なり、翼部接着剤領域が主要本体接着剤領域に向かって折り畳まれる時には前者は後者からずれる。
【００３４】
ここに開示されている発明はここに特に開示されいない部品の不存在下で実施してもよい。
【００３５】
本発明はその好適な態様を特に参照して詳細に記述してきたが、本発明の精神および範囲内で変更を行えることは理解されよう。
【００３６】
本発明の主なる特徴および態様は以下のとおりである。
【００３７】
１．吸収剤材料およびこの材料が上部に設置されている不浸透性の裏ばりシートを含んでなる主要本体部分であって、周辺の端部により境界が作成されている本体部分、
並びに、この周辺の端部の内部の折り畳み線に沿ってこの裏ばりシートから伸びており且つその裏ばりシートと蝶番方式に取り付けられている取り付け翼部であって、この裏ばりシートおよびこの翼部の一部にこの製品を下着に巻き付けてこの製品を定位置に保つのに十分な接着剤領域が付与されている取り付け翼部
を含んでなる使い捨て女性衛生製品であって、
この翼部の上にあるこの接着剤領域の実質的に全てがこの裏ばりシートの上にあるこの接着剤領域からずれているため、この翼部がこの折り畳み線の周りで下着がない状態でこの裏ばりシート上にあるこの接着剤領域に向かって適切に折り畳まれそしてリリース紙が除去される場合にはこの翼部の上にあるこの接着剤領域がこの裏ばりシートの上にあるこの接着剤領域と接触することができないようにする、女性衛生製品。
【００３８】
２．この翼部がこの裏ばりシートの隣接延長部を含んでなり、この翼部の一部がこの裏ばりシートの一部の周りに折り畳まれており且つそれに対して接着剤により固定されているためこの折り畳み線とこの周辺の端部のこの部分との間のこの裏ばりシートの一部を永久的に重なり合わせており、この翼部が片寄らされてこの折り畳み線に沿ってこの裏ばりシートに向かい且つそれと接触させて折り畳まれているためにこの接着剤領域のずれが翼部と裏ばりシートとの間の接着剤−接着剤接触を防止する、上記１で定義されている製品。
【００３９】
３．この本体部分が縦軸を有しており、そしてこの翼部の上にあるこの接着剤領域がこの軸に沿ってこの裏ばり接着剤領域が置かれている位置から転置されているこの翼部の上にある位置に置くことによりこの裏ばりの上にある接着剤領域からずらされている、上記１または２に定義されている製品。
【００４０】
４．この本体部分が縦軸を有しており、そしてこの翼部の上のこの接着剤領域がこの裏ばり接着剤領域が置かれているこの折り畳み線から予め決められた距離だけ異なっているこの折り畳み線からの予め決められた距離に置くことによりこの裏ばりの上にあるこの接着剤領域からずらされている、上記１または２に定義されている製品。
【００４１】
５．この本体部分のこの裏ばりシートの面積の少なくとも５０％がこの接着剤領域により占められている、上記１または２に定義されている製品。
【００４２】
６．この翼部が各々さらに各々の翼部を固めそして一般的に平らに保つために置かれている補剛材も含んでいるため、翼部の上にある接着剤領域が翼部が接着剤領域を有していない裏ばりシートの部分との非整列を引き起こしうるような反りおよび折り畳みに対してそれ自身で抵抗する、上記１または２に定義されている製品。
【００４３】
７．この接着剤のこのずれがこの翼部の一方または両方の上にある接着剤領域を分離するためのこの翼部およびこの裏ばりシートの上にある非接着剤領域を含んでなる、上記１で定義されている製品。
【００４４】
８．この非接着剤領域が感圧接着剤の第一層、およびこの第一層の上部にある室温で非粘着性である感圧接着剤ホットメルト接着剤の層を含んでなる、上記７で定義されている製品。
【００４５】
９．この非接着剤領域がリリース剤がコーテイングされたこの裏ばりシートを含んでなる、上記７で定義されている製品。
【００４６】
１０．この接着剤領域がリリース紙を含まない、上記８または９で定義されている製品。
【００４７】
１１．この接着剤領域がリリース紙を含まない、上記１で定義されている製品。
【００４８】
１２．ａ）使い捨て女性衛生製品に不浸透性の裏ばりシート上に設置された吸収剤材料の主要本体を付与し、そしてこの裏ばりシートから折り畳み式に突出する翼部を対向させて下着への付着を助け、この裏ばりシートおよびこの翼部は各々場合により除去可能なリリース紙で被覆されていてもよい感圧接着剤領域を有しており、この裏ばりシートのこの接着剤領域がこの裏ばりシートの全表面積の少なくとも５０％を占めており、この翼部が各々この裏ばりシートに向かって折り畳み線に沿って折り畳み可能であるようにし、
ｂ）この接着剤領域の全てからリリース紙を除去し、
ｃ）この裏ばりシートのこの接着剤領域を適当な下着の一つの側面に付着させ、そして
ｄ）この翼部をこの折り畳み線の周りに折り畳むことによりこの翼部のこの接着剤領域をこの下着の一つの側面と反対の側面に付着させて、間にあるこの下着に挟んで翼部の実質的に全ての接着剤領域がこの裏ばりシートの接着剤領域からずらされ、
それにより、翼部の接着剤領域および裏ばりシートが重なっていないため、下着の不存在下におけるこの翼部の偶然の折り畳みにより翼部がこの裏ばりシートの接着剤領域に付着しないようにする
段階を含んでなる、使い捨て女性衛生製品を下着に付着させる方法。
【００４９】
１３．使い捨て女性衛生製品の翼部の上にある接着剤領域とこの製品の裏ばりシートの上にある接着剤領域との早すぎる接触を防止する方法であって、この製品がさらに周辺の端部により境界が作成されている主要本体部分を含んでおり、この翼部はこの周辺の端部の内部の折り畳み線に沿ってこの裏ばりシートに蝶番方式で取り付けられておりそして片寄らされていてこの折り畳み線に沿ってこの裏ばりシートに向かい且つそれと接触して折り畳まれており、この方法が
ａ）この裏ばりシートの上にあるこの接着剤をこのシートの上にある予め決められた領域に置き、そして
ｂ）この翼部の上にあるこの接着剤領域の実質的に全てをこの裏ばりシートの上にあるこの予め決められた接着剤領域からずれている位置に置いて、下着の不存在下におけるこの片寄りによる翼部とこの裏ばりシートとの間の接触が接着剤を接着剤と接触させないようにする
段階を含んでなる方法。
【００５０】
１４．この予め決められた領域がこの主要本体部分のこの裏ばりシートの表面積の少なくとも５０％を占める、上記１３で定義されている方法。
【００５１】
１５．段階ａ）もしくはｂ）または両方が、ぞれぞれこの裏ばりシートまたはこの翼部の上にある非接着剤領域によるこの接着剤領域の変更を含んでなる、上記１３で定義されている方法。
【００５２】
１６．この非接着剤領域が感圧接着剤の第一層およびこの第一層の上部にある室温で非粘着性である非感圧接着剤ホットメルト接着剤の層を含んでなる、上記１５で定義されている方法。
【００５３】
１７．さらにｃ）この製品をこの接着剤領域の上にリリース紙を置かずに包装する段階も含む、上記１３または１５で定義されている方法。
【図面の簡単な説明】
【図１】上記のＷＯ ９４／１３２３７出願中に記載されているような先行技術の使い捨て女性製品の等角投影図である。
【図２】本発明に従い製造された使い捨て女性衛生製品の平面図である。
【図３】図２のものと同様であるがそれらが下着への取り付け前にそうであるように折り畳まれていない翼部がついており、さらに接着剤領域のずれ効果も示す平面図である。
【図４】図２のものと同様であるが別の態様を示す平面図である。
【図５】図２のものと同様であるが別の態様を示す平面図である。
【図６】図２のものと同様であるが別の態様を示す平面図である。
【図７】図２のものと同様であるが別の態様を示す平面図である。
【図１】
0004478244.tif 000002
【図２】
0004478244.tif 000003
【図３】
0004478244.tif 000004
【図４】
0004478244.tif 000005
【図５】
0004478244.tif 000006
【図６】
0004478244.tif 000007
【図７】
0004478244.tif 000008